(57)【要約】【課題】携帯型記録媒体を収納したまま立てかけてディスプレイを安定した状態で見ることができるようにした携帯型記録媒体用ケースを提供すること。【解決手段】携帯型記録媒体用ケースは、背面部，両側面部，正面部及び底面部で携帯型記録媒体を収納するケース本体を構成し、前記正面部に、ディスプレイ窓と操作部窓を穿設した携帯型記録媒体用ケースにおいて、前記背面部と一体に正面部側をカバーする蓋部を設け、この蓋部と前記背面部との背面側に、前記ケース本体の立てかけ保持用の帯部を設ける。帯部の両端部、背面部、蓋部にそれぞれにホック孔とこのホック孔に係脱するホック突部を設け、かつ、蓋部に帯部の帯通し部を設けて立てかけを保持する。【選択図】図１
0003130139.tif 000002
【実用新案登録請求の範囲】
【請求項１】
背面部，両側面部，正面部及び底面部で携帯型記録媒体を収納するケース本体を構成し、前記正面部に、携帯型記録媒体のディスプレイと操作部を露出するディスプレイ窓と操作部窓を穿設した携帯型記録媒体用ケースにおいて、前記背面部と一体に正面部側をカバーする蓋部を設け、この蓋部と前記背面部との背面側に、前記ケース本体の立てかけ保持用の帯部を設けたことを特徴とする携帯型記録媒体用ケース。
【請求項２】
帯部の両端部、背面部、蓋部にそれぞれにホック孔とこのホック孔に係脱するホック突部を設け、かつ、蓋部に帯部の帯通し部を設けたことを特徴とする請求項１記載の携帯型記録媒体用ケース。
【請求項３】
帯部は、剛性を有する皮革からなることを特徴とする請求項１又は２記載の携帯型記録媒体用ケース。
【請求項４】
背面部と蓋部との間に折り返し部を一体に介在し、かつ、背面部と折り返し部の間と折り返し部と蓋部との間の両面に折り返し溝を形成したことを特徴とする請求項１，２又は３記載の携帯型記録媒体用ケース。
【考案の詳細な説明】
【技術分野】
【０００１】
本考案は、携帯型記録媒体用ケースに関するもので、さらに詳しくは、近時、携帯型記録媒体にパソコンから音楽、映像などの情報を記録し、これを携帯しながら再生して楽しむものが広く販売されてきている。この種の携帯型記録媒体は、縦×横×厚さが１００×６０×１０ｍｍ程度であり、これより小型のものもある。
本考案は、この携帯型記録媒体を持参するときに保護のために収納するものであって、パソコンとの接続時等には、携帯型記録媒体を収納したまま立てかけて携帯型記録媒体の映像を見ることができるようにした携帯型記録媒体用ケースに関するものである。
【背景技術】
【０００２】
前記携帯型記録媒体に形状が似たものに携帯電話機があり、この携帯電話機を保護するためのケースは、種々の形状や機能を有するものが知られている。例えば、携帯電話機を収納したままケースの底部を全面開口して充電器、その他の機器に接続することができるようにするとともに、通常使用時又は不使用時には、ケース底部から携帯電話機が抜け出て落下するのを防止するための開閉蓋が設けられたものが提案されている（特許文献１）。
【０００３】
また、前記携帯型記録媒体よりも大型なノート型パソコンをケースに収納したままディスプレイを開き、かつ、ディスプレイに上方からの光が入らないように日除けフードを設けたものが提案されている（特許文献２）。
【特許文献１】実用新案登録第３０６４１８３号公報
【特許文献２】実用新案登録第３０４２７９７号公報
【考案の開示】
【考案が解決しようとする課題】
【０００４】
携帯型記録媒体は、卓上にてパソコンに接続して安定した状態で映像を見たり、充電したりするためには、適切な角度で携帯型記録媒体を立てかけておくことが望ましい。
携帯電話機は、充電時に立てかけて行うことが行われているが、携帯型記録媒体とは、形状が似ていても、使用目的や機能が異なるものであるため、ケースに入れたままで立てかけて映像を見ることはない。したがって、携帯電話機のケースには、立てかけるようにしたものは見当たらない。
また、ノート型パソコンは、ケースに収納したままディスプレイを見ることがあっても、携帯型記録媒体では、ディスプレイを開閉することがなく、ケースの形状や機能が全く異なり、ノート型パソコン用ケースを利用することはできない。
本考案は、携帯型記録媒体を持参するときに保護のために収納し、パソコンとの接続時等には、携帯型記録媒体を収納したまま立てかけて携帯型記録媒体のディスプレイを安定した状態で見ることができるようにした携帯型記録媒体用ケースを提供することを目的とするものである。
【課題を解決するための手段】
【０００５】
本考案による携帯型記録媒体用ケースは、背面部，両側面部，正面部及び底面部で携帯型記録媒体を収納するケース本体を構成し、前記正面部に、携帯型記録媒体のディスプレイと操作部を露出するディスプレイ窓と操作部窓を穿設した携帯型記録媒体用ケースにおいて、前記背面部と一体に正面部側をカバーする蓋部を設け、この蓋部と前記背面部との背面側に、前記ケース本体の立てかけ保持用の帯部を設けたことを特徴とする。
帯部の両端部、背面部、蓋部にそれぞれにホック孔とこのホック孔に係脱するホック突部を設け、かつ、蓋部に帯部の帯通し部を設ける。
また、ケース本体を立てかけるために、帯部は、剛性を有する皮革からなる。
蓋部の折り返しを円滑に行わせるために、背面部と蓋部との間に折り返し部を一体に介在し、かつ、背面部と折り返し部の間と折り返し部と蓋部との間の両面に折り返し溝を形成する。
【考案の効果】
【０００６】
請求項１記載の考案によれば、背面部，両側面部，正面部及び底面部で携帯型記録媒体を収納するケース本体を構成し、前記正面部に、携帯型記録媒体のディスプレイと操作部を露出するディスプレイ窓と操作部窓を穿設した携帯型記録媒体用ケースにおいて、前記背面部と一体に正面部側をカバーする蓋部を設け、この蓋部と前記背面部との背面側に、前記ケース本体の立てかけ保持用の帯部を設けたので、携帯型記録媒体用ケースに携帯型記録媒体を収納したまま立てかけて安定した状態で映像を見ることができる。
【０００７】
請求項２記載の考案によれば、帯部の両端部、背面部、蓋部にそれぞれにホック孔とこのホック孔に係脱するホック突部を設け、かつ、蓋部に帯部の帯通し部を設けたので、立てかけたり、蓋部を閉めたりするのが簡単にできる。
【０００８】
請求項３記載の考案によれば、帯部は、剛性を有する皮革で構成したので、立てかけたり、蓋を閉じたりする操作を繰り返しても常に安定して立てかけが保持される。
【０００９】
請求項４記載の考案によれば、背面部と蓋部との間に折り返し部を一体に介在し、かつ、背面部と折り返し部の間と折り返し部と蓋部との間の両面に折り返し溝を形成したので、蓋部を表側に折り返しても、裏側に折り返しても常に一定の状態で折り返しができる。
【考案を実施するための最良の形態】
【００１０】
本考案は、背面部，両側面部，正面部及び底面部で携帯型記録媒体を収納するケース本体を構成し、前記正面部に、携帯型記録媒体のディスプレイと操作部を露出するディスプレイ窓と操作部窓を穿設した携帯型記録媒体用ケースにおいて、前記背面部と一体に正面部側をカバーする蓋部を設け、この蓋部と前記背面部との背面側に、前記ケース本体の立てかけ保持用の帯部を設ける。前記帯部の両端部、背面部、蓋部にそれぞれにホック孔とこのホック孔に係脱するホック突部を設け、かつ、蓋部に帯部の帯通し部を設ける。
また、帯部を含めて全体を剛性を有する皮革で構成することが好ましい。
折り返しを容易にするために、背面部と蓋部との間に折り返し部を一体に介在し、かつ、背面部と折り返し部の間と折り返し部と蓋部との間の両面に折り返し溝を形成する。
【実施例１】
【００１１】
図４において、１０は、携帯型記録媒体で、この携帯型記録媒体１０は、例えば、縦×横×厚さが１００×６０×１０ｍｍ程度の大きさであり、正面の上半分にディスプレイ１１が設けられ、下半分に操作部１２が設けられている。また、下面には、パソコンや充電器に接続されるコネクタソケット１３が設けられ、上面には、ヘッドホン接続用のコネクタソケット（図示せず）が設けられている。これらディスプレイ１１，操作部１２，コネクタソケット１３等の配置は、この例に限られるものではなく、また、全体の形状も図示したものより小型のものでもよいし、大型のものでもよい。
【００１２】
前記携帯型記録媒体１０を収納するための携帯型記録媒体用ケース９は、ケース本体１４と帯部２１とからなり、このケース本体１４と帯部２１は、皮革の内側にラシャ布地などを貼着して周囲を縫製糸３２で縫い合わせたものである。
前記ケース本体１４は、背面部１５と折り返し部１９と蓋部２０とが連続し、全体で長さが約２４０ｍｍ、幅が７０ｍｍの大きさである。前記背面部１５と折り返し部１９の間と、折り返し部１９と蓋部２０の間の両面にＶ字形の折り返し溝２６が形成されている。
前記正面部１７から両側の側面部１６と、底面部１８とを下向き直角に折り曲げ、前記背面部１５に縫製糸３２で縫いこみ取付け、内部は、携帯型記録媒体１０が収納される収納空間３４となり、上部は前記携帯型記録媒体１０が挿抜されるための開口部２２となっている。この開口部２２は、携帯型記録媒体１０を２本の指で挟んで挿脱がし易いように側面部１６の一部も切り欠かれている。また、前記正面部１７には、前記携帯型記録媒体１０のディスプレイ１１が露出するためのディスプレイ窓２３と、操作部１２が露出するための操作部窓２４が穿設されている。さらに、底面部１８には、コネクタピン３３を挿抜するためのコネクタ窓２５が穿設されている。なお、側面部１６と底面部１８の折込部分には、角隅孔２７が穿設されている。
【００１３】
前記ケース本体１４の裏面には、背面部１５側に１箇所と、蓋部２０側に１箇所にそれぞれホック突部３０が取り付けられ、また、蓋部２０には、帯通し部３１が取り付けられ、この帯通し部３１に帯部２１が移動自在に差し込まれ、この帯部２１の両端に前記ホック突部３０と着脱自在のホック孔２９がそれぞれ取り付けられている。
前記ケース本体１４の収納空間３４には、携帯型記録媒体１０の厚さが薄いときにしっかりと固定するためのスペーサ２８が必要に応じて挿入される。
【００１４】
以上のような構成において、携帯型記録媒体１０を携帯型記録媒体用ケース９に収納し保護するには、図４における開口部２２から携帯型記録媒体１０を差し込む。すると、携帯型記録媒体１０のディスプレイ１１，操作部１２，コネクタソケット１３がそれぞれ携帯型記録媒体用ケース９のディスプレイ窓２３，操作部窓２４，コネクタ窓２５から露出して収納される。携帯型記録媒体１０の厚さが薄いときには、携帯型記録媒体１０とスペーサ２８をともに収納空間３４内に挿入する。
【００１５】
卓上にて携帯型記録媒体１０をパソコンに接続して安定した状態で映像を見たり、充電したりするときには、携帯型記録媒体用ケース９に携帯型記録媒体１０を差し込んだまま、図１に示すように、帯部２１の両端部のホック孔２９をホック突部３０から外して蓋部２０を背面部１５側に折り返し、帯部２１の一端部のホック孔２９が蓋部２０の帯通し部３１から抜け出ない程度に引き込んで、帯部２１の他端部のホック孔２９を背面部１５側のホック突部３０に嵌め込む。すると、皮革からなりある程度の剛性を有する帯部２１は、湾曲した状態を保持し、携帯型記録媒体１０は、携帯型記録媒体用ケース９に収納したまま６０〜８０度の角度で立てかけられる。角度は、帯部２１が帯通し部３１に係止している部分を引き込む長さで調整する。
携帯型記録媒体用ケース９に収納したまま立てかけた携帯型記録媒体１０に、コネクタピン３３を介してパソコンに接続して安定した状態で映像を見たり、音楽を聴いたり、充電したりする。
【００１６】
携帯型記録媒体１０を持ち運んだり、持ち運びながら音楽を聴いたり、使用せずにかばん等へ入れておいたりするときには、図２に示すように、背面部１５のホック突部３０と帯部２１のホック孔２９との係合を外し、蓋部２０を正面部１７に被せるようにして折り返し溝２６の箇所で折り畳み、帯部２１のホック孔２９を図２に示すように蓋部２０側のホック突部３０に嵌め込み、帯部２１が蓋部２０から突出している部分を背面部１５側へ折り返し、背面部１５のホック突部３０に帯部２１の他端のホック孔２９に嵌め込み固定する。
携帯型記録媒体１０の上部で、帯部２１のない部分のコネクタソケットにヘッドホンのコネクタピンを差し込めば、持ち運びながら音楽を聴くことができる。
携帯型記録媒体用ケース９から携帯型記録媒体１０を抜き取るときは、帯部２１を背面部１５側から外して、蓋部２０をあけ、開口部２２における側面部１６側の切り欠き部分に露出している携帯型記録媒体１０の側面を指でつまんで引き出す。
【図面の簡単な説明】
【００１７】
【図１】本考案による携帯型記録媒体用ケース９の一実施例を示すもので、携帯型記録媒体１０を収納して立てかけた状態の断面図である。
【図２】本考案による携帯型記録媒体用ケース９に携帯型記録媒体１０を収納保護している状態の側面図である。
【図３】本考案による携帯型記録媒体用ケース９の背面から見た展開図である。
【図４】携帯型記録媒体１０と本考案による携帯型記録媒体用ケース９の斜視図である。
【符号の説明】
【００１８】
１０…携帯型記録媒体、１１…ディスプレイ、１２…操作部、１３…コネクタソケット、１４…ケース本体、１５…背面部、１６…側面部、１７…正面部、１８…底面部、１９…折り返し部、２０…蓋部、２１…帯部、２２…開口部、２３…ディスプレイ窓、２４…操作部窓、２５…コネクタ窓、２６…折り返し溝、２７…角隅孔、２８…スペーサ、２９…ホック孔、３０…ホック突部、３１…帯通し部、３２…縫製糸、３３…コネクタピン、３４…収納空間。
【図１】
0003130139.tif 000003
【図２】
0003130139.tif 000004
【図３】
0003130139.tif 000005
【図４】
0003130139.tif 000006